(57)【要約】【課題】  送信後も受信側のファクシミリ装置で出力された出力画像と同等のものを容易に確認することができるファクシミリ装置を提供する。【解決手段】  画像情報を送信した際の解像度に関する情報を、送信した画像情報と共に記憶しておき、受信側のファクシミリ装置で出力された画像と同等のものを送信後も確認することができるように構成する。具体的には、イメージエリア８９に送信画像を送信時の解像度で画像を表示させる。また、印刷コマンドボタン９２をタッチすることにより自機で印刷することや、再送信コマンドボタン９３をタッチすることにより画像情報を再送信することや、倍率変更コマンドボタン９１をタッチすることにより様々な倍率に変換された画像を確認することができる。【選択図】  図１０
2006041716.tif 000002
【特許請求の範囲】
【請求項１】
入力した画像情報を送信すると共に蓄積し、その蓄積した画像情報を再度送信することが可能なファクシミリ装置であって、
画像情報を入力する入力手段と、
通信手段を介し画像情報を送信する送信手段と、
画像情報を画像として出力する出力手段と、
情報を記憶する記憶手段と、
前記入力手段が入力した前記画像情報を、前記送信手段が送信した際の受信側解像度に関する情報と共に前記記憶手段に記憶させ、前記記憶手段が記憶した前記画像情報を、前記記憶手段が記憶した前記受信側解像度に関する情報を用い、前記送信手段が前記画像情報を送信した際の受信側解像度によって前記出力手段に出力させる制御手段と、
を備えることを特徴とするファクシミリ装置。
【請求項２】
請求項１に記載のファクシミリ装置において、
前記出力手段は、前記画像情報を画像として表示することができるものであること、
を特徴とするファクシミリ装置。
【請求項３】
請求項１に記載のファクシミリ装置において、
前記出力手段は、前記画像情報を画像として用紙に印刷することができるものであること、
を特徴とするファクシミリ装置。
【請求項４】
請求項１〜請求項３の何れかに記載のファクシミリ装置において、
更に、使用者から拡大倍率に関する情報を受け付ける拡大倍率受付手段を備え、
前記制御手段は、前記記憶手段が記憶する前記画像情報を前記拡大倍率受付手段が受け付けた拡大倍率に対応させて前記送信手段に送信させること、
を特徴とするファクシミリ装置。
【請求項５】
請求項４に記載のファクシミリ装置において、
更に、使用者から送信希望部分に関する情報を受け付ける送信部分受付手段を備え、
前記制御手段は、前記送信部分受付手段が受け付けた部分の画像情報のみ、前記送信手段に送信させること、
を特徴とするファクシミリ装置。
【請求項６】
請求項４又は請求項５に記載のファクシミリ装置において、
前記制御手段は、副走査方向のみ前記拡大倍率受付手段が受け付けた拡大倍率に対応させて前記送信手段に前記画像情報を送信させること、
を特徴とするファクシミリ装置。
【請求項７】
請求項４〜請求項６の何れかに記載のファクシミリ装置において、
前記制御手段は、前記拡大倍率受付手段が受け付けた拡大倍率に対応させて前記画像情報を前記出力手段に出力させること、
を特徴とするファクシミリ装置。
【請求項８】
請求項１〜請求項７の何れかに記載のファクシミリ装置において、
前記制御手段は、前記送信手段が前記画像情報を送信した際の色種別に関する情報も前記記憶手段に記憶させ、前記記憶手段が記憶した前記画像情報を、前記記憶手段が記憶した前記色種別に関する情報を用い、前記送信手段が前記画像情報を送信した際の色種別によって前記出力手段に出力させること、
を特徴とするファクシミリ装置。
【請求項９】
請求項１〜請求項８の何れかに記載のファクシミリ装置において、
当該ファクシミリ装置が送信先のファクシミリ装置と行った通信開始時におけるネゴシエーションの結果、指定された解像度で前記画像情報を前記送信手段が送信することができず、指定された解像度と異なる解像度で前記画像情報を前記送信手段が送信した場合、
前記制御手段は、前記画像情報を特定するための特定情報を前記記憶手段に記憶させ、前記記憶手段に記憶されたその特定情報に基づいて特定される前記画像情報に関する情報を前記出力手段に出力させること、
を特徴とするファクシミリ装置。
【発明の詳細な説明】
【技術分野】
【０００１】
本発明は、画像情報を入力し、その入力した画像情報を指定先に送信するファクシミリ装置に関する。
【背景技術】
【０００２】
従来、ファクシミリ装置を用いて原稿を送信する場合、送信原稿の読み取り線密度の決定はその使用者の感覚によるところが大きく、極めて曖昧であった。そして、送信しようとする原稿をある線密度で読ませたとしても、実際に受信側でどの程度の解像度（見え具合）で出力されるのかを知ることができなかった。
【０００３】
そこで、特許文献１に記載のファクシミリ装置が考えられた。このファクシミリ装置は、まず使用者によって送信操作がなされると、ファクシミリ装置の持つ最高線密度（最高解像度）であるスーパーファインモードで原稿を読み取り、画像情報をメモリに蓄積する。この後、ファクシミリ装置は、メモリに蓄積した画像情報を、スタンダードモード、ファインモード、スーパーファインモードの各モードによって１ページ内に１／３ずつ記録紙に印刷する。そして、このようにして印刷された印刷画像を使用者が確認して適切なモードをファクシミリ装置に入力すると、ファクシミリ装置は、その入力されたモードに対応する線密度（解像度）に画像情報を変換して受信側のファクシミリ装置に送信する。したがって、このようなファクシミリ装置を用いれば、受信側のファクシミリ装置に出力されるであろう画像を予め確認することができる。
【特許文献１】特開平９−１３９８３６号公報
【発明の開示】
【発明が解決しようとする課題】
【０００４】
ところが、特許文献１に記載のファクシミリ装置を用いた場合においても、使用者が入力したモードで受信側のファクシミリ装置と通信できなかった場合には使用者が入力したモードとは異なるモードで画像情報が送られてしまうと考えられる。つまり、受信側のファクシミリ装置において、所望の解像度で画像が出力されずに文字潰れ等が発生するおそれがあった。
【０００５】
また、このようなことが発生した場合に、その事象の発生を送信側のファクシミリ装置で確認することができず、送信側のファクシミリ装置の利用者は受信側のファクシミリ装置の利用者から電話等によって再送の要求がなされる等してはじめて知ることができた。
【０００６】
本発明はこのような問題に鑑みなされたものであり、送信後も受信側のファクシミリ装置で出力された出力画像と同等のものを容易に確認することができるファクシミリ装置を提供することを目的とする。
【課題を解決するための手段】
【０００７】
上記課題を解決するためになされた請求項１に記載のファクシミリ装置は、入力した画像情報を送信すると共に蓄積し、その蓄積した画像情報を再度送信することが可能なファクシミリ装置であって、画像情報を入力する入力手段と、通信手段を介し画像情報を送信する送信手段と、画像情報を画像として出力する出力手段と、情報を記憶する記憶手段と、制御手段とを備える。このうち制御手段は、入力手段が入力した画像情報を、送信手段が送信した際の受信側解像度に関する情報と共に記憶手段に記憶させ、記憶手段が記憶した画像情報を、記憶手段が記憶した受信側解像度に関する情報を用い、送信手段が画像情報を送信した際の受信側解像度によって出力手段に出力させる。
【０００８】
なお、ここで言う「画像情報」というのは、絵や写真やグラフ等に関する情報だけに限らず文字に関する情報も含む情報である。また、ここで言う「解像度に関する情報」というのは、解像度そのもの（例えば６００ｄｐｉ）や、モード種別（スーパーファインモードやファインモード等）を意味する。
【０００９】
このようなファクシミリ装置によれば、画像情報を送信した際の解像度に関する情報を画像情報と共に記憶し、受信側のファクシミリ装置で出力された画像と同等のものを送信後に確認することができるようになっているため、使用者が意図するように受信側で画像が出力されたかどうかを送信後に確認することができる。また、この記憶している情報を用いれば再送信の際も初回送信時と同じ解像度で画像情報を送ることもできる。
【００１０】
なお、具体的な出力手段としては、画像情報を画像として表示することができるもの（請求項２）や、画像情報を画像として用紙に印刷することができるもの（請求項３）が考えられる。画像情報を画像として表示することができるものの具体例としては、例えば、液晶ディスプレイや有機ＥＬディスプレイ等が考えられる。また、画像情報を画像として用紙に印刷することができるものの具体例としては、例えば、感熱プリント機構や、レーザープリント機構や、インクジェットプリント機構等が考えられる。
【００１１】
このように、画像情報を画像として表示することができるようになっていれば手軽に受信側での出力画像を確認することができる。また、画像情報を画像として用紙に印刷することができるようになっていれば受信側の出力画像により近い画像を確認することができる。なお、入力手段の具体例としては、例えば、印刷物の光学情報を読み取るスキャナや、パーソナルコンピュータから送信される画像情報を取得するネットワークインターフェース等が考えられる。
【００１２】
ところで、送信した画像情報の受信側での出力状態を確認できるようになっているとその確認者は、視認不可能な状態の画像が受信側に届けられていることに気づく場合も考えられる。そのような場合のため、再送信の際に画像を拡大して送信できるようになっているとよい。つまり、請求項４に記載のファクシミリ装置のように、更に、利用者からの拡大倍率に関する情報を受け付ける拡大倍率受付手段を備えるように構成し、制御手段は、記憶手段が記憶する画像情報を拡大倍率受付手段が受け付けた拡大倍率に対応させて送信手段に送信させるようになっているとよい。なお、ここで言う「拡大倍率に対応させて」というのは、単に画像情報の情報量は変わらずに物理的な出力サイズだけ拡大させるようにするという意味ではなく、送信する画像情報の情報量自体を記憶している画像情報の範囲内で増やすことを意味する。そして、受信側はその情報量の増加に合わせて物理的な出力サイズを拡大して出力することを想定している。例えば、拡大倍率を縦横それぞれ２倍にした場合は、送信される画像情報自体が縦横それぞれ２倍の情報量になり、受信側のファクシミリ装置は４倍の面積分の画像を出力する。
【００１３】
このようになっていれば、使用者は再送信の際に改めて原稿をセットして入力手段に画像情報を入力させることなく、受信側のファクシミリ装置で視認可能なよう拡大して画像を再送信することができる。
【００１４】
また、画像を拡大して送信できるようになっていれば、例えばオリジナル原稿がＡ４サイズ１枚であり、縦横それぞれ２倍に拡大して送信したとすると、受信側のファクシミリ装置ではＡ４サイズ４枚分の画像が出力されることになる。ところが、実際に画像が認識不可能であった箇所はオリジナル原稿のある特定の箇所だけであり、受信側のファクシミリ装置ではオリジナル原稿全ての拡大画像が必要でない場合も考えられる。
【００１５】
したがって、請求項５に記載のファクシミリ装置のように、更に、使用者から送信希望部分に関する情報を受け付ける送信部分受付手段を備え、制御手段は、送信部分受付手段が受け付けた部分の画像情報のみ、送信手段に送信させるようになっているとよい。なお、ここで言う「送信希望部分」というのは拡大後のページであってもよい。
【００１６】
このようになっていれば、実際に画像が認識不可能であった箇所（ページ）のみを拡大して送信することが可能になるため、通信コストの削減や、受信側のファクシミリ装置での紙媒体の使用量削減が期待できる。
【００１７】
なお、制御手段は、副走査方向のみ拡大倍率受付手段が受け付けた拡大倍率に対応させて送信手段に画像情報を送信させるようになっていてもよい（請求項６）。一般的なファクシミリ装置は、主走査方向については読み取り時も印刷時も一定であるため、そのようなファクシミリ装置においては、たとえ主走査方向に拡大して出力させるようにしても、実質的に情報量が増えない。このため、副走査方向のみを拡大して送信するようになっている方が、受信側のファクシミリ装置の出力枚数を減らすことができる（出力が紙媒体の場合）。
【００１８】
また、このように拡大して画像を送信できるようになっていると、送信側のファクシミリ装置において、送信前にその画像の拡大具合を確認したいと考えられる。したがって、請求項７に記載のファクシミリ装置のように、制御手段が、拡大倍率受付手段が受け付けた拡大倍率に対応させて画像情報を出力手段に出力させるようになっているとよい。
【００１９】
このようなファクシミリ装置であれば、拡大して送信する画像の拡大具合を予め出力して確認することができるため、再度、受信側で視認できない画像を送信してしまうといった失敗を防止することができる。
【００２０】
ところで、制御手段は、送信手段が画像情報を送信した際の色種別（具体的には、モノクロなのかカラーなのか等）に関する情報も記憶手段に記憶させ、記憶手段が記憶した画像情報を、記憶手段が記憶した色種別に関する情報を用い、送信手段が画像情報を送信した際の色種別によって出力手段に出力させるようになっていてもよい（請求項８）。
【００２１】
このようになっていれば、使用者は、色も含めた受信側での出力画像を確認することができ、より受信側の出力に近いものを確認できる。
また、ファクシミリ装置が送信先のファクシミリ装置と行った通信開始時におけるネゴシエーションの結果、指定された解像度で画像情報を送信手段が送信することができず、指定された解像度と異なる解像度で画像情報を送信手段が送信するような場合もあり得る。そこで、請求項９に記載のファクシミリ装置のように、制御手段は、送信手段が送信した画像情報（指定された解像度と異なる解像度で送信された画像情報）を特定するための特定情報を記憶手段に記憶させ、記憶手段に記憶されたその特定情報に基づいて特定される画像情報（指定された解像度と異なる解像度で送信された画像情報）に関する情報を出力手段に出力させるようになっているとよい。なお、ここで言う「画像情報に関する情報」というのは、例えば、送信日時の情報や、送信先の情報や、送信した画像情報の解像度の情報等を意味する。
【００２２】
このようになっていれば、使用者が指定した解像度で送信できなかった画像情報を使用者が知ることができ、使用者が適切な対応（例えば、送信先のファクシミリ装置を変更する等の対応）を取ることが可能になる。
【発明を実施するための最良の形態】
【００２３】
以下、本発明が適用された実施形態について図面を用いて説明する。尚、本発明の実施の形態は、下記の実施形態に何ら限定されることはなく、本発明の技術的範囲に属する限り種々の形態を採りうる。
【００２４】
図１は、本発明のファクシミリ装置の機能が組み込まれた複合機１１の概略構成を示すブロック図である。複合機１１は、ＬＡＮ通信部１３，ＷＡＮ通信部１５，ＦＡＸ通信部１７，ＦＡＸ符号部１９，ＦＡＸ復号部２１，ＰＣ通信部２３，記憶媒体アクセス部２５，記録部２７，読取部２９，データ記憶部３１，設定記憶部３３，操作部３５，表示部３７及び制御部３９を備える。
【００２５】
ＬＡＮ通信部１３は、ＬＡＮと接続され、ＬＡＮに接続された他の様々な機器と通信を行う。
ＷＡＮ通信部１５は、ＷＡＮと接続され、ＷＡＮに接続された他の様々な機器と通信を行う。
【００２６】
ＦＡＸ通信部１７は、ＰＳＴＮ（公衆交換電話網）と接続され、ＦＡＸ符号部１９から渡された符号化されたデータをＰＳＴＮに接続された他の機器に送信すると共に、ＰＳＴＮに接続された他の機器から送信されたデータをＦＡＸ復号部２１に渡す。
【００２７】
ＦＡＸ符号部１９は、制御部３９から渡されるデータをファクシミリ規格に準じて符号化し、ＦＡＸ通信部１７に渡す。
ＦＡＸ復号部２１は、ＦＡＸ通信部１７から渡されるファクシミリ規格に準じたデータを復号化して制御部３９が処理可能なデータにし、制御部３９に渡す。
【００２８】
ＰＣ通信部２３は、制御部３９からの指令に基づき、ＵＳＢ規格やＩＥＥＥ１３９４規格等の通信規格を利用してパーソナルコンピュータと通信を行う機能を備える。
記憶媒体アクセス部２５は、制御部３９からの指令に基づきメモリカード（記憶媒体）にアクセスし、メモリカードからデータを読み込んだり、メモリカードにデータを書き込んだりする。
【００２９】
記録部２７は、制御部３９からの指令に基づき、レーザー転写方式、インクジェット方式等の記録方式によって紙媒体に画像を記録する機能を有する。
読取部２９は、制御部３９からの指令に基づき、ＣＣＤ等の読取機能を有する素子により、紙媒体に記録された画像を画像データとして読み取る機能を有する。
【００３０】
データ記憶部３１は、ハードディスクから構成され、制御部３９からの指令に基づいてデータを記憶したり読み出したりする。データ記憶部３１は、入力データの属性データを記憶するコンテンツテーブルと、入力データを記憶するデータテーブルとを備える。この各テーブルの詳細については後述する。
【００３１】
設定記憶部３３は、使用者が操作部３５等を操作することによって複合機１１の動作について設定した設定情報を記憶する記憶部である。フラッシュメモリ等によって構成される。
【００３２】
操作部３５は、表示部３７の表示面と一体に構成されたタッチパネルと、表示部３７の周辺に配置されたメカニカルなキーとから構成され、使用者が様々な指示を入力するためのものである。
【００３３】
表示部３７は、液晶ディスプレイ、有機ＥＬディスプレイ等から構成され、制御部３９からの指令にしたがって、情報を表示させる。
制御部３９は、ＣＰＵ，ＲＯＭ，ＲＡＭ，ＳＲＡＭ，Ｉ／Ｏ及びこれらの構成を接続するバスラインなどからなる周知のマイクロコンピュータを中心に構成されており、ＲＯＭに記憶されたプログラムに基づいて上記各部を統括的に制御して各種処理を実行する。
【００３４】
次に、図２に示す、テーブルのフィールド説明図を用い、コンテンツテーブル及びデータテーブルの各フィールドについて説明する。
図２（ａ）は、コンテンツテーブルの各フィールドを説明するための説明図である。コンテンツテーブルは、コンテンツＩＤ５２，レコードステータス５３，日時５４，利用者５５，入力元５６，セキュリティ５７，電子透かし情報５８，機能種別５９，機能固有属性６０及びデータＩＤ６１から構成される。
【００３５】
コンテンツＩＤ５２は、レコードを識別するためのＩＤが記録されるフィールドであり、ＩＤはレコードの生成順にしたがって昇順のものが振られるようになっている。
レコードステータス５３は、レコードの状態を示す情報が記録されるフィールドであり、ロック状態（更新不許可状態）、削除による無効状態、保留状態等を示す情報が記録される。
【００３６】
日時５４は、レコードが生成された日時が記録されるフィールドである。
利用者５５は、データを入力した利用者を識別するための情報が記録されるフィールドである。入力した利用者を特定することができない場合は空きフィールドとなる。
【００３７】
入力元５６は、データの入力元を示す情報が記録されるフィールドである。データの入力元としては、ＬＡＮ通信部１３，ＷＡＮ通信部１５，ＦＡＸ通信部１７，ＰＣ通信部２３，記憶媒体アクセス部２５，読取部２９の何れかを特定可能な情報が記録される。なお、ＬＡＮ通信部１３，ＷＡＮ通信部１５，ＦＡＸ通信部１７の場合については、さらにその送信元の情報（ＰＣのＩＰアドレスやＦＡＸの発信元番号等）も記録される。
【００３８】
セキュリティ５７は、データの公開情報が記録されるフィールドである。具体的には、全公開、社内のみ公開、パートナーにのみ公開、非公開、メール中継の何れかの情報が記録される。
【００３９】
電子透かし情報５８は、複合機１１の製造番号と、日時５４のフィールドに記録された日時とから生成されたコードが記録されるフィールドである。
機能種別５９は、機能の種別が記憶されるフィールドである。ここで言う「機能」というのは、プリント機能、コピー機能、ＦＡＸ送信機能、ＦＡＸ受信機能、ＰＣ−ＦＡＸ送信機能、スキャナ機能、メディアプリント機能、メディア保存機能またはメール転送機能の何れかである。
【００４０】
機能固有属性６０は、機能毎の固有属性（例えばＦＡＸ送信機能であれば、送信したモードや、送信した倍率や、読取時の画像解像度や、レイアウト情報や、モノクロかカラーかの情報や、送信先情報や、送信先の出力可能解像度等）が記録されるフィールドである。
【００４１】
データＩＤ６１は、入力データを識別するためのＩＤが記録されるフィールドである。そのＩＤによってデータテーブルに記憶される入力データを特定することができる。
次に、図２（ｂ）を用いて、入力データを記憶するデータテーブルの各フィールドを説明する。データテーブルは、データＩＤ７２，参照数７３，データ形式７４，データサイズ７５及び実データ７６から構成される。
【００４２】
データＩＤ７２は、レコードを識別するためのＩＤが記録されるフィールドであり、上述したコンテンツテーブルのデータＩＤ６１に対応するものである。
参照数７３は、当該レコードを参照しているコンテンツテーブルのレコード数が記録されるフィールドである。
【００４３】
データ形式７４は、入力データの形式が記録されるフィールドである。例えば、印刷データ、ＦＡＸデータ、ＪＰＥＧ、テキスト等の種別が記録される。
データサイズ７５は、入力データのデータサイズが記録されるフィールドである。
【００４４】
実データ７６は、入力データ自体が記録されるフィールドである。
ここまでで複合機１１の概略構成を説明したが、ここで複合機１１の各部と特許請求の範囲に記載の用語との対応を示す。ＬＡＮ通信部１３，ＦＡＸ通信部１７，ＰＣ通信部２３，記憶媒体アクセス部２５，読取部２９が入力手段に相当し、データ記憶部３１が記憶手段に相当し、ＦＡＸ通信部１７が通信手段に相当し、記録部２７，表示部３７が出力手段に相当し、操作部３５が拡大倍率受付手段及び送信部分受付手段に相当し、制御部３９が制御手段に相当する。
【００４５】
次に制御部３９が実行する入力処理（画像情報等の入力を伴う処理）及び出力処理（記憶済みの画像情報等を出力する処理）について順に説明する。なお、各処理の説明に関し、ＦＡＸ送信機能、ＰＣ−ＦＡＸ送信機能等のＦＡＸに関連する処理の説明のみを行い、その他の機能に関連する処理の説明は省略する。
【００４６】
（１）入力処理
まず、入力処理について、図３のフローチャートを用いて説明する。入力処理は、使用者（外部の別の装置の使用者を含む）が複合機１１に対して何らかの入力操作（例えば、操作部３５を操作してＦＡＸ送信操作を行う、ＬＡＮ上のパーソナルコンピュータで印刷操作を行う等）を行った際に実行が開始される。
【００４７】
制御部３９は入力処理の実行を開始するとまず、使用者からの指令を受け付け、実行する機能を特定する（Ｓ１０５）。ここで言う「機能」というのは、プリント機能（ＬＡＮ通信部１３がＬＡＮから、又はＰＣ通信部２３がパーソナルコンピュータからデータを入力して記録部２７がそのデータを紙媒体に出力する機能），ＰＣ−ＦＡＸ機能（ＬＡＮ通信部１３がＬＡＮから、又はＰＣ通信部２３がパーソナルコンピュータからデータを入力してＦＡＸ通信部１７がそのデータをＰＳＴＮに出力する機能），コピー機能（読取部２９が紙媒体からデータを入力して記録部２７がそのデータを紙媒体に出力する機能），ＦＡＸ送信（読取部２９が紙媒体からデータを入力してＦＡＸ通信部１７がそのデータをＰＳＴＮに出力する機能），スキャナ（読取部２９が紙媒体からデータを入力してＬＡＮ通信部１３がそのデータをＬＡＮに出力する、又は読取部２９が紙媒体からデータを入力してＰＣ通信部２３がパーソナルコンピュータに出力する機能），メディア保存（読取部２９が紙媒体からデータを入力して記憶媒体アクセス部２５がそのデータを記憶媒体に出力する機能），メディアプリント（記憶媒体アクセス部２５が記憶媒体からデータを入力して記録部２７がそのデータを紙媒体に出力する機能），ＦＡＸ受信（ＦＡＸ通信部１７がＰＳＴＮからデータを入力し記録部２７がそのデータを紙媒体に出力する機能），メール転送（ＬＡＮ通信部１３がＬＡＮからメールデータを入力しＷＡＮ通信部１５がそのデータをＷＡＮに出力する、又は、ＷＡＮ通信部１５がＷＡＮからメールデータを入力しＬＡＮ通信部１３がそのデータをＬＡＮに出力する機能）の何れかである。
【００４８】
続いて、Ｓ１０５で特定した機能に対応する処理（例えば、プリント機能実行処理、コピー機能実行処理、ＦＡＸ送信機能実行処理等）を実行する（Ｓ１１０）。この処理のうち、ＦＡＸ送信機能実行処理の詳細については後述する。
【００４９】
続いて、Ｓ１１０で実行した処理において入力したデータをデータベースに登録するデータベース登録処理を実行する（Ｓ１１５）。このデータベース登録処理の詳細についても後述する。データベース登録処理を終了すると本処理（入力処理）を終了する。
【００５０】
（１−１）ＦＡＸ送信機能実行処理
次に、制御部３９が実行する様々な機能実行処理（図３のＳ１１０）のうち、ＦＡＸ送信機能実行処理について図４のフローチャートを用いて詳細に説明する。ＦＡＸ送信機能実行処理は上述した入力処理の中で呼び出されて実行される。
【００５１】
制御部３９はＦＡＸ送信機能実行処理を開始すると、まず操作部３５から、解像度、カラー／モノクロ情報、送信先、送信指定有無等の属性データを取得する（Ｓ２５５）。
続いて、Ｓ２５５で取得した属性データを制御部３９が有するテンポラリバッファに保存する（Ｓ２５８）。
【００５２】
続いて、読取部２９に画像データの読取指示を出し、読取部２９から画像データを取得する（Ｓ２６０）。
続いて、Ｓ２５８で取得した画像データをテンポラリバッファに保存する（Ｓ２６３）。
【００５３】
続いて、Ｓ２５８で取得した画像データの中に電子透かし情報があるか否かによって処理を分岐する（Ｓ２６５）。電子透かし情報がある場合にはＳ２６８に進み、電子透かし情報がない場合にはＳ２７０に進む。
【００５４】
電子透かし情報がある場合として進んだＳ２６８では、画像データ中の電子透かし情報を取り出して上述した属性データの１つとしてテンポラリバッファに保存し、Ｓ２７５に進む。
【００５５】
一方、電子透かし情報がない場合として進んだＳ２７０では、複合機１１の製造番号と現在日時とから電子透かし情報を生成する。そして、生成した電子透かし情報をＳ２６０で取得した画像データに埋め込み（Ｓ２７３）、Ｓ２７５に進む。
【００５６】
Ｓ２７５では、Ｓ２５５で取得した属性データの送信指定有無によって処理を分岐する。送信指定有無が「有り」であった場合はＳ２７８に進み、送信指定有無が「無し」であった場合は本処理（ＦＡＸ送信機能実行処理）を終了し、本処理の読み出し元である入力処理に戻る。
【００５７】
Ｓ２７８では、ＦＡＸ符号部１９へ画像データと属性データとを渡し、ＦＡＸ符号部１９に画像データを符号化させる。
続いて、ＦＡＸ通信部１７へ送信開始の指示を出す（Ｓ２８０）。ＦＡＸ通信部１７は送信開始の指示を受け取るとＦＡＸ符号部１９で符号化されたデータをＰＳＴＮを介して送信先へ送信する。
【００５８】
続いて、属性データをテンポラリバッファに保存し（Ｓ２８３）、本処理（ＦＡＸ送信機能実行処理）を終了し、本処理の読み出し元である入力処理に戻る。
（１−２）データベース登録処理
次に、制御部３９が実行するデータベース登録処理について、図５のフローチャートを用いて説明する。データベース登録処理は上述した入力処理の中で呼び出されて実行される。
【００５９】
制御部３９はデータベース登録処理を開始すると、まず、テンポラリバッファに保存されている画像データについて登録指定が有るか否かによって処理を分岐する（Ｓ６０５）。この登録指定というのは、使用者が操作部３５を用いて予め機能毎に設定しておくことができるものである。なお、この予め設定しておいたものに優先して、機能実行時（例えばパーソナルコンピュータからＦＡＸ送信指示をした際等）に利用者がオプション指定することもできる。登録指定が有る場合にはＳ６１５に進み、登録指定がない場合にはＳ６４０に進む。
【００６０】
Ｓ６１５では、テンポラリバッファに保存されている画像データと同一のデータがデータ記憶部３１に記憶されているかを判断する。この判断方法としてはどのような方法を採ってもよいが、例えばコンテンツテーブルに記憶されている電子透かし情報とテンポラリバッファに保存されている画像データの電子透かし情報とを比較することによって判断したり、データテーブルに記憶されている画像データとテンポラリバッファに保存されていうる画像データとを各種の照合手法によって直接比較することによって判断したりする方法が考えられる。
【００６１】
続いてＳ６２０では、Ｓ６１５の判断結果によって処理を分岐する。テンポラリバッファに保存されている画像データと同一のデータがデータ記憶部３１に記憶されていると判断した場合にはＳ６２５に進み、テンポラリバッファに保存されている画像データと同一のデータがデータ記憶部３１に記憶されていないと判断した場合にはＳ６３５に進む。
【００６２】
テンポラリバッファに保存されている画像データと同一のデータがデータ記憶部３１に記憶されていると判断して進んだＳ６２５では、データ記憶部３１のデータテーブルの該当レコードの参照数を１つ加算更新する。そして、テンポラリバッファに保存されているデータでコンテンツテーブルに新たなレコードを作成し（Ｓ６３０）、Ｓ６４０に進む。
【００６３】
一方、テンポラリバッファに保存されている画像データと同一のデータがデータ記憶部３１に記憶されていないと判断して進んだＳ６３５では、テンポラリバッファに保存されているデータで、コンテンツテーブル及びデータテーブルに新たなレコードを作成し、Ｓ６４０に進む。
【００６４】
Ｓ６４０では、テンポラリバッファに保存されているデータを削除し、本処理（データベース登録処理）を終了し、本処理の読み出し元である入力処理に戻る。
（２）出力処理
次に、制御部３９が実行する出力処理について、図６のフローチャートを用いて説明する。出力処理は操作部３５が利用者によって操作され、利用者からログイン画面を表示させる指示を受け付けた際に実行を開始する。
【００６５】
制御部３９は出力処理を開始すると、まず、ログイン画面を表示部３７に表示させる（Ｓ３０５）。ここでログイン画面について、図８の画面４１を用いて説明する。図８に示すように、画面４１は、ユーザー名テキストボックス４２とパスワードテキストボックス４３とログインコマンドボタン４４とを備える。ユーザー名テキストボックス４２を利用者がタッチすると５０音表が表示され、ユーザー名が入力可能になる。また、パスワードテキストボックス４３を利用者がタッチすると５０音表が表示され、パスワードが入力可能になる。また、ログインコマンドボタン４４を利用者がタッチすると、ユーザー名テキストボックス４２に入力されたユーザー名とパスワードテキストボックス４３に入力されたパスワードとが制御部３９に渡され、出力処理が続行される。
【００６６】
図６のフローチャートに戻り、Ｓ３１０では、ログイン画面に入力されたユーザー名とパスワードとの組み合わせと、設定記憶部３３に記憶されているユーザー名とパスワードとの組み合わせとを比較し、ログインさせるか否かによって処理を分岐する。ログインさせる場合はＳ３１５に進み、ログインさせない場合にはＳ３０５に処理を戻す。
【００６７】
ログインさせるとして進んだＳ３１５では、文書検索画面を表示部３７に表示させる。
ここで文書検索画面について、図９の画面８１を用いて説明する。画面８１は、主に、グリッド８２と、条件入力ボックス群８３と、検索コマンドボタン８４と、表示コマンドボタン８５と、終了コマンドボタン８６とを備える。グリッド８２は、文章番号、記録された日時、文書種別（プリント、ＦＡＸ送信、コピー等）、文書情報（タイトル、利用者名等）が文章毎に表示され、文章単位で選択可能に構成されている。
【００６８】
条件入力ボックス群８３は、グリッド８２に表示させる文章を絞り込むための条件を入力するボックス群であり、利用者が、文章番号，日時，文章種別，文章情報，キーワードの少なくとも何れか一つを選択して入力し、検索コマンドボタン８４をタッチすることにより、グリッド８２に表示させる文章を絞り込むことができる。
【００６９】
検索コマンドボタン８４は、条件入力ボックス群８３に入力された条件にしたがってグリッド８２に表示させる文章の絞り込みを実行するコマンドボタンである。
表示コマンドボタン８５は、グリッド８２中で選択されている文章の詳細を表示させるためのコマンドボタンである。
【００７０】
終了コマンドボタン８６は、文章検索画面の表示を終了させるためのコマンドボタンである。
図６のフローチャートに戻り、Ｓ３２０では、利用者が文章検索画面に関して行った操作を受け付ける。そして、その受け付けた操作が終了操作であった（終了コマンドボタン８６がタッチされた）か否かによって処理を分岐する（Ｓ３２５）。受け付けた操作が終了操作であった場合にはＳ３０５に処理を戻し、受け付けた操作が終了操作でなかった場合にはＳ３３０に進む。
【００７１】
受け付けた操作が終了操作ではなかった場合に進むＳ３３０では、Ｓ３２０で受け付けた操作が検索操作であった（検索コマンドボタン８４がタッチされた）か否かによって処理を分岐する。受け付けた操作が検索操作であった場合には条件入力ボックス８３に入力された条件にしたがってコンテンツテーブル及びデータテーブルを検索してＳ３１５に処理を戻し、受け付けた操作が検索操作でなかった場合にはＳ３３５に進む。
【００７２】
Ｓ３３５では、機能（ＦＡＸ送信機能、コピー機能、プリント機能等）別の表示処理を実行し、実行が終了すると処理をＳ３１５に戻す。
（２−１）ＦＡＸ表示処理
次に、制御部３９が実行する機能別の表示処理（図６のＳ３３５）のうち、ＦＡＸ表示処理について図７のフローチャートを用いて詳細に説明する。ＦＡＸ表示処理は、図９で言うところのグリッド８２内に表示されているＦＡＸ文書に関する情報が選択されて、表示コマンドボタン８５がタッチされた際に実行される処理である。
【００７３】
制御部３９はＦＡＸ表示処理を開始すると、データ記憶部３１のコンテンツテーブルの該当レコード（具体的なフィールドは機能固有属性６０）に記憶された送信倍率を読み出して、後述の処理で利用する表示倍率として設定する（Ｓ４０５）。
【００７４】
続いて、データ記憶部３１のデータテーブルに記憶されている該当画像データ（具体的にはフィールド名、実データ７６に記憶されているデータ）を、送信先ファクシミリ装置の出力可能解像度を超えない範囲で上記表示倍率に対応する解像度に変換する。例えば、送信先ファクシミリ装置の出力可能解像度が１００ｄｐｉであり、表示倍率が１倍である場合、４００ｄｐｉで読み込んで記憶しておいた画像データを１００ｄｐｉに変換することを意味する。
【００７５】
続いて、変換した画像データを表示部３７に画像として表示させる（Ｓ４１５）。このＦＡＸ画像表示画面について、図１０の画面８７を用いて説明する。図１０に示すように画面８７は、表示部位表示エリア８８、イメージエリア８９、表示変更コマンドボタン群９０、倍率変更コマンドボタン９１、印刷コマンドボタン９２、再送信コマンドボタン９３及び戻るコマンドボタン９４を備える。
【００７６】
表示部位表示エリア８８は、イメージエリア８９に表示させる画像の部位を示すエリアであり、当該エリア中の四角８８ａで囲まれた部位がイメージエリア８９に画像として表示される。
【００７７】
イメージエリア８９は、画像が表示されるエリアであり、表示箇所表示エリア８８中の四角８８ａで囲まれた部位の画像が表示される。
表示変更コマンドボタン群９０は、イメージエリア８９に表示させる画像の部位を変更したり、その部位の大きさを変更したり、その部位を回転させたりするための操作を行うコマンドボタン群である。このコマンドボタン群９０を利用者が操作することにより、表示部位表示エリア８８の四角８８ａが変化すると共に、イメージエリア８９に表示される画像が変化する。
【００７８】
倍率変更コマンドボタン９１は、当該コマンドボタンを利用者がタッチすることにより、表示倍率が変更され、イメージエリア８９に表示される画像の倍率も変更される。なお、その変更された倍率に応じて倍率変更コマンドボタン９１のキャプションも変化する（図１０では「等倍」となっている）。また、表示倍率の候補は、等倍、１ｘ２（１．４倍）、２ｘ２（２倍）、２ｘ４（２．８倍）、３ｘ３（３倍）、２ｘ１（縦２倍）があり、コマンドボタンをタッチする毎に順に変わっていき、これらの何れかが選択できるようになっている。
【００７９】
印刷コマンドボタン９２は、表示されている表示倍率で画像を印刷する際にタッチするコマンドボタンである。
再送信コマンドボタン９３は、表示されている表示倍率で画像を再送信する際にタッチするコマンドボタンである。
【００８０】
戻るコマンドボタン９４は、ＦＡＸ画像表示画面を終了させて文書検索画面を再び表示させる際にタッチするコマンドボタンである。
図７のフローチャートに戻り、続くＳ４２０では、利用者の入力操作を受け付ける。そして、その入力操作が、戻るコマンドボタン９４のタッチであるか否かによって処理を分岐する（Ｓ４２５）。戻るコマンドボタン９４のタッチであった場合は、本処理（ＦＡＸ表示処理）を終了し、呼び出し元である出力処理に処理を戻す。一方、戻るコマンドボタン９４のタッチでなかった場合は、Ｓ４３０に進む。
【００８１】
Ｓ４３０では、Ｓ４２０で受け付けた入力操作が倍率変更コマンドボタン９１のタッチであるか否かによって処理を分岐する。倍率変更コマンドボタン９１のタッチであった場合は対応する倍率に表示倍率を設定し（Ｓ４３５）、Ｓ４１０に処理を戻す。つまり、例えば、表示倍率を「２ｘ２（２倍）」に変更すると、図１１に示す画面９２のようにイメージエリア８９と倍率変更コマンドボタン９１が変化する。なお、図１１の画面９２の各部については、図１０と同一の符号を付すことにより説明を省略する。
【００８２】
図７のフローチャートに戻り、一方、Ｓ４２０で受け付けた入力操作が倍率変更コマンドボタン９１のタッチでなかった場合（Ｓ４３０：Ｎ）は、Ｓ４４０に進む。
Ｓ４４０では、Ｓ４２０で受け付けた入力操作が印刷コマンドボタン９２のタッチであったか否かによって処理を分岐する。印刷コマンドボタン９２のタッチであった場合は表示倍率に対応させた画像データを記録部２７に印刷させる（Ｓ４４５）。そして、処理をＳ４１０に戻す。
【００８３】
ここで、図１２に示す印刷結果を用い、表示倍率の変化にしたがった印刷結果の違いについて説明する。図１２（ａ）は、表示倍率を等倍にした際の印刷結果である。図１２（ａ）に示すように、等倍の場合は規定用紙（例えばＡ４サイズの用紙）１枚に収まるように画像が印刷される。
【００８４】
図１２（ｂ）は、表示倍率を１ｘ２（１．４倍）にした際の印刷結果である。図１２（ｂ）に示すように、１ｘ２（１．４倍）の場合は規定用紙２枚を長辺を合わせて並べた形式で画像を閲覧することが可能なように画像が印刷される。なお、印刷画像は縦横各１．４倍に拡大されたものが９０度回転されて印刷される。
【００８５】
図１２（ｃ）は、表示倍率を２ｘ２（２倍）にした際の印刷結果である。図１２（ｃ）に示すように、２ｘ２（２倍）の場合は、規定用紙２枚を長辺を合わせて並べ、その並べた２枚に、同様の２枚を長辺を合わせてさらに並べ、合計４枚の規定用紙によって構成された形式で画像を閲覧することが可能なように画像が印刷される。なお、印刷画像は、縦横各２倍に拡大されて印刷される。
【００８６】
図１２（ｄ）は、表示倍率を２ｘ１（縦２倍）にした際の印刷結果である。図１２（ｄ）に示すように、２ｘ１（縦２倍）の場合は、規定用紙２枚を短辺を合わせて並べた形式で画像を閲覧することが可能なように画像が印刷される。なお、印刷画像は縦のみ２倍に拡大（つまり副走査方向のみ拡大）されて印刷される。
【００８７】
図７のフローチャートに戻り、一方、Ｓ４２０で受け付けた入力操作が、印刷コマンドボタン９２のタッチでなかった場合（Ｓ４４０：Ｎ）はＳ４５０に進む。
Ｓ４５０では、Ｓ４２０で受け付けた入力操作が再送信コマンドボタン９３のタッチであるか否かによって処理を分岐する。再送信コマンドボタン９３のタッチでなかった場合はＳ４１０に処理を戻し、再送信コマンドボタン９３のタッチであった場合にはＳ４５５に進む。
【００８８】
Ｓ４５５では、表示倍率に対応させた画像データをＦＡＸ符号部１９に渡し、ＦＡＸ通信部１７に送信先のファクシミリ装置へ送信させる。そして、本処理（ＦＡＸ表示処理）を終了し、呼び出し元である出力処理に処理を戻す。なお、送信先のファクシミリ装置では、図１２を用いて説明した印刷結果と同様のものが出力される。
【００８９】
ここまでで実施形態の複合機１１の構成及び動作について説明したが、本実施形態の複合機１１は、画像情報を送信した際の解像度に関する情報を、送信した画像情報と共に記憶しており、受信側のファクシミリ装置で出力された画像と同等のものを送信後も容易に確認することができるように構成されている。このため、使用者が意図するように受信側で画像が出力されたかどうかを確認できる。
【００９０】
また、本実施形態の複合機１１によれば、使用者は再送信の際に改めて原稿をセットして複合機１１に画像情報を入力させることなく、受信側のファクシミリ装置で視認可能なよう拡大して画像を再送信することもできる。さらに、その際には、予め、拡大して送信する画像の拡大具合を確認することができるため、再度、受信側で視認できない画像を送信してしまうといった失敗を防止することができる。
【００９１】
以下、他の実施形態について述べる。
（イ）上記実施形態では、例えば２ｘ２（２倍）に拡大した場合には、受信側ファクシミリ装置ではオリジナル原稿４枚分の拡大画像が出力されるようになっている。ところが、実際に画像が認識不可能であった箇所はオリジナル原稿のある特定箇所だけであり、受信側のファクシミリ装置ではオリジナル原稿全ての拡大画像が必要でない場合も考えられる。そのため、拡大した画像のうち、例えば拡大後のページを指定できるような仕組みを備えるようにし、その指定されたページのみを送信できるようになっているとよい。
【００９２】
このようになっていれば、通信コストの削減や、受信側のファクシミリ装置での紙媒体の使用量削減が期待できる。
（ロ）上記実施形態では、利用者は操作部３５を操作して指示を複合機１１に入力し、利用者は表示部３７を見て様々な情報を確認するようになっていたが、利用者が行う上記出力処理やＦＡＸ表示処理に対する入力はパーソナルコンピュータから実行することができるようになっていてもよい。そして、上記出力処理やＦＡＸ表示処理の際に表示部３７に表示させる情報をパーソナルコンピュータのモニタに表示させるようになっていてもよい。このようになっていても上記実施の形態の同様の効果を得ることができる。
【００９３】
（ハ）また、複合機１１が送信先のファクシミリ装置と行った通信開始時におけるネゴシエーションの結果、指定された解像度で画像情報を送信することができず、指定された解像度と異なる解像度で画像情報を送信するような場合もあり得る。このため、そのような状況が発生した情報をコンテンツテーブル（具体的なフィールドは機能固有属性６０）に保存しておき、利用者の操作等によって利用者に報知するようになっているとよい。このようになっていれば、使用者が指定した解像度で送信できなかった画像情報を使用者が知ることができ、使用者が適切な対応（例えば、送信先のファクシミリ装置を変更する等の対応）を取ることが可能になる。
【図面の簡単な説明】
【００９４】
【図１】実施例の複合機の概略構成を示すブロック図である。
【図２】コンテンツテーブル及びデータテーブルのフィールド一覧である。
【図３】入力処理を説明するためのフローチャートである。
【図４】ＦＡＸ送信機能実行処理を説明するためのフローチャートである。
【図５】データベース登録処理を説明するためのフローチャートである。
【図６】出力処理を説明するためのフローチャートである。
【図７】ＦＡＸ表示処理を説明するためのフローチャートである。
【図８】ログイン画面を説明するための画面例である。
【図９】文章検索画面を説明するための画面例である。
【図１０】ＦＡＸ画像表示画面を説明するための画面例である。
【図１１】ＦＡＸ画像表示画面を説明するための画面例である。
【図１２】印刷結果の一例である。
【符号の説明】
【００９５】
１１…複合機、１３…ＬＡＮ通信部、１５…ＷＡＮ通信部、１７…ＦＡＸ通信部、１９…ＦＡＸ符号部、２１…ＦＡＸ復号部、２３…ＰＣ通信部、２５…記憶媒体アクセス部、２７…記録部、２９…読取部、３１…データ記憶部、３３…設定記憶部、３５…操作部、３７…表示部、３９…制御部。
【図１】
2006041716.tif 000003
【図２】
2006041716.tif 000004
【図３】
2006041716.tif 000005
【図４】
2006041716.tif 000006
【図５】
2006041716.tif 000007
【図６】
2006041716.tif 000008
【図７】
2006041716.tif 000009
【図８】
2006041716.tif 000010
【図９】
2006041716.tif 000011
【図１０】
2006041716.tif 000012
【図１１】
2006041716.tif 000013
【図１２】
2006041716.tif 000014